(57)【特許請求の範囲】
【請求項１】
床下に設けたボックスフレームと、ボックスフレームの上面に形成された椅子昇降用の開口部と、椅子格納状態でこの開口部を覆う開閉式の床蓋と、椅子をボックスフレーム上の使用位置とボックスフレームの内側の格納位置との間で変位させる手段とを備えた椅子の床下収納機構において、ボックスフレームの上端の後部から前方へ向かって下向きに湾曲した第１ガイドと、上端をやや前傾させてボックスフレームの前部に上下方向に配設された第２ガイドと、床蓋の後部の両側面に取り付けられて第１ガイドに沿って転動する第１ローラと、床蓋の前部から斜め下向きに前方へ突出したアームの先端に取り付けられて第２ガイドに沿って転動する第２ローラと、を備えたことを特徴とする椅子の床下収納機構。
【請求項２】
椅子の変位手段が、椅子を使用位置と格納位置との間で案内する上端を斜め後方へ傾倒したガイドと、このガイドに沿って椅子を移動させる手段である請求項１に記載の椅子の床下収納機構。
【請求項３】
前記床蓋と同一の平面形状と面積を有する床部材を椅子の下端に一体に設けた請求項１に記載の椅子の床下収納機構。
【発明の詳細な説明】
【０００１】
【産業上の利用分野】
本発明は、多目的ホールの観覧席などに使用される床下収納式の椅子の収納構造の改良に関する。
【０００２】
【従来の技術】
多目的ホールなどではスペースの有効利用の観点から観覧席の椅子を床下に収納する椅子収納機構を備えたものがある。観覧席を必要としない時には椅子を床下に収納し、その上を通常の床面として使用するためである。
【０００３】
このような、椅子の収納機構として例えば実開昭６３−４５６４３号では、座面を背もたれに向けて折り畳んだ椅子を前方へと傾倒させ、床下に構成されたボックスフレームに収納する構造が提案されている。ボックスフレームの上面の前後の端部には分割された床蓋がそれぞれヒンジ結合し、椅子収納時にはこれらの床蓋がボックスフレームを覆うことで床面を形成する。また、椅子使用時には両方の床蓋を起立位置に回動し、椅子を使用状態にセットした後、前方の床蓋のみをボックスフレーム上に倒伏させる。
【０００４】
また、特開平１−１３１７５８号には座面を背もたれに向けて折り畳んだ椅子を、そのまま昇降させる収納機構が提案されている。この収納機構の場合には椅子が垂直に昇降するため、ボックスフレームの開口面積が小さくなる。したがって、前後に分割した床蓋のうち後方の床蓋のみを開閉式とし、前方の床蓋はボックスフレームに固定したままで良い。
【０００５】
【発明の課題】
これらのいずれの収納機構においても、椅子使用時には後方の床蓋を椅子の背もたれの後方に起立させておく必要があった。しかし、起立した床蓋は着座時の足元のスペースを狭め、前後の椅子の列間を歩行する際に邪魔になるという問題があった。また、いずれの収納機構においても椅子の収納構造や起立した床蓋との干渉防止のために、背もたれの後傾角度を大きく設定することができないという問題があった。。
【０００６】
さらに、実開昭６３−４５６４３号の収納機構は椅子を前方へ略直角に倒した状態で収納するので、ヒンジから背もたれの頂部に至る椅子の高さが椅子の前後の配置間隔を越えることができないという寸法上の制約があった。
【０００７】
本発明は、従来の椅子収納機構のこうした問題点を解決すべくなされたもので、床下収納式の椅子において通常の固定式の椅子と変わりない使い勝手や座り心地を実現することを目的とする。
【０００８】
【課題を達成するための手段】
請求項１の発明は、床下に設けたボックスフレームと、ボックスフレームの上面に形成された椅子昇降用の開口部と、椅子格納状態でこの開口部を覆う開閉式の床蓋と、椅子をボックスフレーム上の使用位置とボックスフレームの内側の格納位置との間で変位させる手段とを備えた椅子の床下収納機構において、ボックスフレームの上端の後部から前方へ向かって下向きに湾曲した第１ガイド１１と、上端をやや前傾させてボックスフレームの前部に上下方向に配設された第２ガイド１２と、床蓋４の後部の両側面に取り付けられて第１ガイド１１に沿って転動する第１ローラ１３と、床蓋４の前部から斜め下向きに前方へ突出したアーム１５の先端に取り付けられて第２ガイド１２に沿って転動する第２ローラ１４と、を備えている。
【０００９】
請求項２の発明は、請求項１の発明において、椅子の変位手段を、椅子を使用位置と格納位置との間で案内する上端を斜め後方へ傾倒したガイドと、このガイドに沿って椅子を移動する手段とで構成している。
【００１０】
請求数３の発明は、請求項１の発明において、床蓋と同一の平面形状と面積を有する床部材を椅子の下端に一体に設けている。
【００１１】
【作用】
請求項１の発明は、床蓋をガイドの案内によりボックスフレーム内に格納するようにしたので、椅子使用時には床蓋が床下に格納され、床上に突出しない。
【００１２】
請求項２の発明は、椅子を案内するガイドの上端を斜め後方へ傾倒させたので、背もたれを後傾させた椅子でもボックスフレームと干渉せずに開口部を通過できる。
【００１３】
請求項３の発明は、床蓋と同一の形状と面積を有する床部材を椅子の下端に設けたので、椅子使用時には、この床部材が床蓋と同一位置で床の一部を構成し、椅子の下の開口部を閉鎖する。
【００１４】
【実施例】
図１〜図９に本発明の実施例を示す。
【００１５】
図１において、１は椅子２を収納するボックスフレームであり、その上面に固定床部３と開閉式の床蓋４を備える。
【００１６】
椅子２は図２と３に示すように横方向に複数人分を一体に結合したもので、折り畳み可能な座面２Ａと固定された背もたれ２Ｂとを備え、要所に設けた脚部５を介して床蓋４と同一の平面形状と面積を備えた床部材６と一体に結合する。
【００１７】
床部材６を椅子２とともに昇降させる手段として、ボックスフレーム１の内側にスクリューロッド８が設けられ、スクリューロッド８に螺合するトラベルナット７が床部材６を支持する。
【００１８】
スクリューロッド８はボッスクフレーム１の内部に上端を後傾した状態で上下方向に配設され、ボックスフレーム１の底部に設けた電動機９により減速機１６を介して回転駆動され、トラベルナット７を介して床部材６を椅子２とともに昇降させる。
【００１９】
一方、この昇降を案内するために、ガイド１０がボッスクフレーム１の両側面の内側に２本ずつスクリューロッド８と平行に配置され、床部材６の両側面にはこれらのガイド１０に案内されるベアリングブロックが取り付けられる。
【００２０】
床蓋４は図１に示す閉鎖位置と図４に示す格納位置との間で移動する。このために、床蓋４を案内するガイド１１と１２とがボックスフレーム１２の両側面にそれぞれ配設される。
【００２１】
ガイド１１はボックスフレーム１の上端の後部から前方へ向かって下向きに湾曲し、ガイド１２は上端をやや前傾させてボックスフレーム１の前部に上下方向に配設される。ガイド１１に沿って転動するローラ１３が床蓋４の後部の両側面に取り付けられる。また、床蓋４の前部には斜め下向きに前方へ突出するアーム１５が固着し、アーム１５の先端にガイド１２に沿って転動するローラ１４が取り付けられる。
【００２２】
ボックスフレーム１内には床蓋４の移動手段として、スクリューロッド１７がボックスフレーム１の前面に沿って上下方向に配設され、スクリューロッド１７に螺合するトラベルナット１８がアーム１５の先端を支持する。
【００２３】
スクリューロッド１７はボックスフレーム１の底部に設けた電動機１９により減速機２０を介して回転駆動され、トラベルナット１８を介してアーム１５をガイド１２に沿って上下方向に移動する。これに伴い、アーム１５と一体の床蓋４は後端をガイド１１に沿って変位させながら、図１に示す閉鎖位置と図４に示す格納位置との間で変位する。なお、トラベルナット１８はアーム１５とは結合せず、水平方向に相対変位可能にアーム１５を支持する。
【００２４】
次に作用を説明する。
【００２５】
図１〜３は椅子２の格納状態を示す。この状態ではボックスフレーム１の開口部は床蓋４に閉鎖され、床蓋４と固定床部３が床面を構成している。
【００２６】
椅子２を使用位置にセットするには、この状態からまず電動機１９を運転し、トラベルナット１８を降下させる。これによりトラベルナット１８に支持されたアーム１５の先端がガイド１２に沿って下降し、ローラ１３をガイド１１に案内された床蓋４が図５に示すように先端を下向きに回動しながら前方へと移動する。ガイド１２が傾いているため床蓋４の先端は移動開始直後には略真下に向かって、固定床部３の端部と干渉することなく移動する。
【００２７】
なお、ガイド１２を垂直に配設した場合でも、図６に示すようにガイド１２の上部を斜めに屈折させるか、あるいは、図７に示すように固定床部３の端部に斜めの切欠２１を形成しておくことで、閉鎖位置近傍での床蓋４と固定床部３との干渉防止を図ることができる。
【００２８】
トラベルナット１８がスクリューロッド１７の下部まで降下することで、床蓋４は図４に示すように固定床部３の下側の格納位置に格納される。
【００２９】
次に電動機９を運転し、スクリューロッド８を回転駆動する。これにより、トラベルナット７が床部材６と床部材６上に一体に構成された椅子２を支持して上昇する。
【００３０】
床部材６が固定床部３と同一平面をなす高さまで上昇したら、電動機９の運転を停止する。これにより、椅子２は床部材６と固定床部３が構成する床面上に脚部５を介して支持される。スクリューロッド８とガイド１０とが上端を後傾していのるので、椅子２は上方のみならず、後方へも移動し、使用位置においては背もたれ２Ｂの上端はボックスフレーム１の開口部よりさらに後方へ後傾した位置で支持される。
【００３１】
床部材６は床蓋４と同一の平面形状と面積とを有するため、ボックスフレーム１の開口部は床部材６によって完全に閉鎖される。したがって、ボックスフレーム１には隙間ができず、隙間からボックスフレーム１の内側にものが落ちるなどの不都合が発生する恐れはない。また、床蓋４はボックスフレーム１内に格納され、床面上に全く突出しないので邪魔にならない。
【００３２】
ボックスフレーム１を図８に示すように階段式に配置した場合には、床部材６と後方のボックスフレーム１の固定床部３との間に段差２２が生じるが、この段差２２は後傾した背もたれ２Ｂの下に位置するため、椅子２に沿って横方向に移動する人間の足がこの隙間に挟まりにくい環境が得られる。また、このように後傾した背もたれ２Ｂにより、通常の固定式の椅子と変わらない好ましい座り心地が得られる。なお、背もたれ２Ｂの高さはあらかじめボックスフレーム１の高さを背もたれ２Ｂの高さに合わせて設計することで、任意に設定可能である。
【００３３】
図２に示す使用位置から格納位置への椅子２の移動は次のように行われる。
【００３４】
まず、椅子２の座面２Ａを畳み、電動機９の運転によりトラベルナット７を下降させる。椅子２はボックスフレーム１の開口部を上昇時とは逆向きに通過して図１に示す格納位置へと降下する。
【００３５】
椅子２が所定の格納位置に来たら電動機９を停止し、電動機１９の運転により、トラベルナット１８を介して床蓋４を閉鎖位置へと上昇させる。床蓋４はガイド１１と１２に案内され、開動時とは逆向きに移動して閉鎖位置に到達する。
【００３６】
このようにして、電動機９と１９の運転により、椅子２の設置と格納とを容易に行うことができる。
【００３７】
床面を階段状とせずに、図９に示すように平坦に構成した場合でも、同様に椅子２を快適に使用できることは言うまでもない。
【００３８】
なお、上記実施例では、ガイド１０をボッスクフレーム１の両側面に２本ずつ設けているが、これは１本ずつでも良い。
【００３９】
【発明の効果】
請求項１の発明は、椅子使用時には床蓋をガイドと移動手段によりボックスフレーム内に移動して格納するようにしたので、椅子使用時に床面上に床蓋が突出して足元のスペースを狭めたり、歩行の邪魔になるの不具合を防止できる。
【００４０】
請求項２の発明は、椅子を案内するガイドの上端を後傾させたので、背もたれを後傾させた椅子をボックスフレームの開口部と干渉せずに通過させることが可能となり、椅子の座り心地が改善されるとともに、階段式の床面構成においては椅子の背後の段差を背もたれが覆うことで、椅子に沿って横方向に歩行する人間が段差に足を取られる不具合が起きにくい環境が得られる。
【００４１】
請求項３の発明は、床蓋と同一平面形状と面積の床部材を椅子の下端に一体に構成したので、椅子の使用時には床部材がボックスフレームの開口部を隙間なく閉鎖し、隙間からボックスフレーム内にものが落ちる不具合を防止できる。
【００４２】
したがって、本発明によれば床下収納式の椅子を用いて通常の固定式の椅子と変わらない好ましい使用環境を実現することが可能となる。
【図面の簡単な説明】
【図１】本発明の実施例を示す椅子を格納した状態の収納機構の縦断面図である。
【図２】同じく横断面図である。
【図３】同じく平面図である。
【図４】椅子を使用可能状態に支持した収納機構の縦断面図である。
【図５】床蓋の移動経路を説明する収納機構上部の縦断面図である。
【図６】床蓋を案内するガイドについて別の構成を示す収納機構要部の縦断面図である。
【図７】固定床部の形状に関する別の構成を示す固定床部と床蓋の要部縦断面図である。
【図８】階段状の床面に適用した収納機構の概略縦断面図である。
【図９】平坦な床面に適用した収納機構の概略縦断面図である。
【符号の説明】
１    ボックスフレーム
２    椅子
４    床蓋
６    床部材
７，１８    トラベルナット
８，１７    スクリューロッド
９．１９    電動機
１０，１１，１２    ガイド
【図１】
0003577346.tif 000002
【図２】
0003577346.tif 000003
【図３】
0003577346.tif 000004
【図４】
0003577346.tif 000005
【図５】
0003577346.tif 000006
【図６】
0003577346.tif 000007
【図７】
0003577346.tif 000008
【図８】
0003577346.tif 000009
【図９】
0003577346.tif 000010